(57)【要約】      （修正有）【課題】光ファイバーが剥き出されている部分において、光ファイバーが曲がったり、折れたりすることのない接続支持部品を提供する。【解決手段】支持部本体１３１と、支持部本体の長手方向の一方の側に設けられた光ケーブル６０と接続されるケーブル接続部１３２と、支持部本体の長手方向の他方の側に設けられ、フェルール２０と接続されるフェルール接続部１３３と、を有し、ケーブル接続部は、光ケーブルの周囲に設置されたスリーブ６１ａ、６１ｂを外側より挟むことによりスリーブに接続されており、フェルール接続部は、フェルールと当接する接触部１３３ａを有する。【選択図】図５
2018173455.tif 000002
【特許請求の範囲】
【請求項１】
支持部本体と、
前記支持部本体の長手方向の一方の側に設けられた光ケーブルと接続されるケーブル接続部と、
前記支持部本体の長手方向の他方の側に設けられ、フェルールと接続されるフェルール接続部と、
を有し、
ケーブル接続部は、光ケーブルの周囲に設置されたスリーブを外側より挟むことにより前記スリーブに接続されており、
前記フェルール接続部は、前記フェルールと当接する接触部を有することを特徴とする接続支持部品。
【請求項２】
前記フェルール接続部は、前記支持部本体から両側に広がるばね性を有する２つの部分により形成されており、
前記フェルールは、前記２つの部分により挟まれた状態で接続されることを特徴とする請求項１に記載の接続支持部品。
【請求項３】
前記フェルール接続部は、前記支持部本体から両側に広がる２つの部分により形成されており、
前記フェルール接続部の端の各々には、前記フェルールに引っ掛けられる引っ掛け部あるいはスナップフィット部が設けられており、
前記フェルールは、前記２つの部分により挟まれた状態で接続されることを特徴とする請求項１に記載の接続支持部品。
【請求項４】
前記支持部本体の、前記ケーブル接続部と前記フェルール接続部との間の面に対して出っ張った遮蔽部を有することを特徴とする請求項１から３のいずれかに記載の接続支持部品。
【請求項５】
請求項１から４のいずれかに記載の接続支持部品と、
前記フェルールと、
を有することを特徴とする光モジュール。
【発明の詳細な説明】
【技術分野】
【０００１】
本発明は、接続支持部品及び光モジュールに関する。
【背景技術】
【０００２】
スーパーコンピュータ、ハイエンドサーバーの高速インターフェースにおける通信においては、光通信が普及しつつあり、電気信号を光信号に変換する光モジュールが用いられている。
【０００３】
光モジュールは、発光素子、受光素子、発光素子を駆動する駆動回路が設けられている。発光素子、受光素子、駆動回路はプリント基板に搭載されており、発光素子及び受光素子とレンズ付きフェルールとの間は光導波路により接続されている。
【０００４】
ＭＴフェルールとレンズ付きフェルールとは、位置合わせされてクリップなどの接続部品により固定される。ＭＴフェルールには、光ファイバーを備えた光ケーブルが接続される。
【先行技術文献】
【特許文献】
【０００５】
【特許文献１】特開２０１５−２３１４３号公報
【特許文献２】特開２０１０−２０１６２号公報
【特許文献３】実開平５−３２８０２号公報
【発明の概要】
【発明が解決しようとする課題】
【０００６】
光ケーブルでは光ファイバーの周囲が抗張力部材や被覆により覆われており、ＭＴフェルールとの接続部分では抗張力部材や被覆が剥き出された光ファイバーとＭＴフェルールとが接続されている。光ケーブルは、抗張力部材に覆われている部分で筐体に固定されている。抗張力部材はアラミド繊維等により形成されており、被覆はＰＶＣ（ポリ塩化ビニル）により形成されているが、被覆は周囲温度によって膨張・収縮する。被覆が縮むと光ファイバーが剥き出している部分が長くなるため、この部分で光ファイバーが曲がったり、折れたりする場合があり、光損失が生じるため好ましくない。
【０００７】
このため、光モジュールにおいて、光ファイバーが剥き出されている部分において、光ファイバーが曲がったり、折れたりすることのない接続支持部品が求められている。
【課題を解決するための手段】
【０００８】
本実施の形態の一観点によれば、支持部本体と、前記支持部本体の長手方向の一方の側に設けられた光ケーブルと接続されるケーブル接続部と、前記支持部本体の長手方向の他方の側に設けられ、フェルールと接続されるフェルール接続部と、を有し、ケーブル接続部は、光ケーブルの周囲に設置されたスリーブを外側より挟むことにより前記スリーブに接続されており、前記フェルール接続部は、前記フェルールと当接する接触部を有することを特徴とする。
【発明の効果】
【０００９】
開示の接続支持部品によれば、光ファイバーが剥き出されている部分において、光ファイバーが曲がったり、折れたりすることを防ぐことができ、光損失が生じることを抑制することができる。
【図面の簡単な説明】
【００１０】
【図１】光モジュールの分解斜視図
【図２】ＭＴフェルールと接続される光ケーブルの説明図
【図３】第１の実施の形態における光ファイバー接続支持部品の構造図
【図４】第１の実施の形態における光ファイバー接続支持部品の斜視図
【図５】第１の実施の形態における光ファイバー接続支持部品が接続された斜視図
【図６】第１の実施の形態における光ファイバー接続支持部品が接続された構造図
【図７】第１の実施の形態における光ファイバー接続支持部品の説明図
【図８】第１の実施の形態における光モジュールの分解斜視図
【図９】第２の実施の形態における光ファイバー接続支持部品の斜視図
【図１０】第２の実施の形態における光ファイバー接続支持部品が接続された斜視図
【図１１】第２の実施の形態における光ファイバー接続支持部品が接続された構造図
【図１２】第３の実施の形態における光ファイバー接続支持部品の構造図
【図１３】第３の実施の形態における光ファイバー接続支持部品の斜視図
【図１４】第３の実施の形態における光ファイバー接続支持部品が接続された斜視図
【図１５】第３の実施の形態における光ファイバー接続支持部品が接続された構造図
【図１６】第４の実施の形態における光ファイバー接続支持部品の斜視図
【図１７】第４の実施の形態における光ファイバー接続支持部品が接続された斜視図
【図１８】第５の実施の形態における光ファイバー接続支持部品の説明図
【図１９】第５の実施の形態における他の光ファイバー接続支持部品の説明図
【発明を実施するための形態】
【００１１】
本発明を実施するための形態について、以下に説明する。尚、同じ部材については、同一の符号を付して説明を省略する。
【００１２】
〔第１の実施の形態〕
光モジュールの光ファイバーが剥き出している部分が長くなることについて説明する。図１は光モジュールの分解斜視図である。
【００１３】
図１に示される光モジュールは、クリップ（接続部品）３０により固定されたレンズ付きフェルール１０及びＭＴフェルール２０、プリント基板４０、光導波路４８が、下部筐体５１と上部筐体５２とを有する筐体に入れられており、光ケーブル６０が接続されている。尚、レンズ付きフェルール１０とＭＴフェルール２０とは、不図示のガイドピンを用いて位置合わせをした状態で、クリップ３０により固定されている。
【００１４】
プリント基板４０には、ＦＰＣ（Flexible Printed Circuits）４２が接続されるコネクタ４１が設けられている。ＦＰＣ４２には、電気信号を光信号に変換するＶＣＳＥＬ（Vertical Cavity Surface Emitting LASER）等の発光素子４３及び光信号を電気信号に変換するフォトダイオード等の受光素子４４、発光素子４３を駆動する駆動ＩＣ、受光素子４４から出力される電流を電圧に変換するＴＩＡが設けられている。また、プリント基板４０には、外部との接続のための接続端子４７が設けられている。プリント基板４０は、下部筐体５１に設置される。
【００１５】
光導波路４８はフレキシブルなシート状の光導波路であり、その一方の端はＦＰＣ４２に接続されている。
【００１６】
光導波路４８にはレンズ付きフェルール１０に接続されている。クリップ３０には２カ所にねじ穴３１が設けられており、下部筐体５１に設けられたねじ穴５１ａにねじ５３によりねじどめされる。クリップ３０を下部筐体５１にねじどめすることにより、レンズ付きフェルール１０とＭＴフェルール２０が、クリップ３０により下部筐体５１に固定される。
【００１７】
光ケーブル６０には、スリーブ６１ａ、６１ｂがカシメリング６２により固定されている。スリーブ６１ａ、６１ｂが固定されている光ケーブル６０の上下よりケーブルブーツ７１、７２が被せられ、プルタブ／ラッチ７３が取り付けられる。
【００１８】
下部筐体５１にレンズ付きフェルール１０とＭＴフェルール２０がクリップ３０により固定され、プリント基板４０が載置されている状態で、上部筐体５２が下部筐体５１に被せられ、上部筐体５２のねじ穴５２ａと下部筐体５１のねじ穴５１ｂとがねじ５４によりねじどめされる。
【００１９】
図２は、光ケーブル６０とＭＴフェルール２０との接続部分を示す。光ケーブル６０は中心部分の複数の光ファイバー６０ａが被覆及び抗張力部材６０ｂにより覆われている構造のものである。ＭＴフェルール２０との接続部分では被覆と抗張力部材６０ｂを剥いて光ファイバー６０ａを露出させ、露出させた光ファイバー６０ａとＭＴフェルール２０とが接続される。ＭＴフェルール２０の光ファイバー６０ａとの接続部分には、光ファイバー６０ａを保護するブーツ２１が設けられている。尚、図２等において、複数の光ファイバーが横に並べられたものを一体として光ファイバー６０ａとして示している。また、図１に示す光モジュールは、細部において図２と異なる部分が存在している。
【００２０】
図２に示すように、剥かれた被覆と抗張力部材６０ｂはスリーブ６１ａ、６１ｂのＭＴフェルール２０側で折り曲げられており、スリーブ６１ａ、６１ｂとカシメリング６２との間に挟まれた状態でカシメリング６２により固定される。
【００２１】
抗張力部材６０ｂはアラミド繊維等により形成されており、被覆はＰＶＣにより形成されているため、熱が加わると被覆が収縮する場合がある。被覆及び抗張力部材６０ｂは光ファイバー６０ａの周囲を覆っているだけであるため、被覆が収縮すると、光ファイバー６０ａの周囲の被覆と抗張力部材６０ｂが光ファイバー６０ａに対して動き、被覆と抗張力部材６０ｂが固定されているスリーブ６１ａ、６１ｂ及びカシメリング６２も被覆の収縮する左方向に移動する。このため、光ファイバー６０ａが露出している部分の長さが長くなる。
【００２２】
スリーブ６１ａ、６１ｂまたはカシメリング６２はケーブルブーツ７１、７２に固定されており、ＭＴフェルール２０はクリップ３０により下部筐体５１に固定されている。ケーブルブーツ７１、７２は下部筐体５１または上部筐体５２に接続されており動くことはないため、スリーブ６１ａ、６１ｂまたはカシメリング６２とＭＴフェルール２０との間は、一定の距離が保たれている。従って、被覆が収縮し光ファイバー６０ａの露出部分が長くなると、光ファイバー６０ａの露出している部分に曲がりや折れが生じるなど負荷がかかり、これにより光損失が生じる場合がある。
【００２３】
（光ファイバー接続支持部品）
次に、第１の実施形態における光ファイバー接続支持部品（以下「接続支持部」）について図３及び図４に基づき説明する。図３（ａ）は本実施の形態による接続支持部１３０の上面図、図３（ｂ）は正面図、図３（ｃ）は背面図、図３（ｄ）は左側面図、図３（ｅ）は右側面図、図３（ｆ）は底面図である。また、図４（ａ）、（ｂ）は異なる方向から見た斜視図である。
【００２４】
本実施の形態による接続支持部１３０は金属板を折り曲げることにより形成され、支持部本体１３１の長手方向の一方の側に光ケーブル接続部（「ケーブル接続部」）１３２が設けられており、他方の側にＭＴフェルール接続部（「フェルール接続部」）１３３が設けられている。ケーブル接続部１３２は、支持部本体１３１の長手方向に対し垂直方向に延びた部分を２つ有している。フェルール接続部１３３は、支持部本体１３１の長手方向に対し垂直方向に延びた２つの部分を有している。接続支持部１３０は、例えば厚さが約０．３ｍｍのステンレスの板を打ち抜き折り曲げることにより形成される。
【００２５】
接続支持部１３０は、例えば、長手方向の長さＬが約８１ｍｍ、ケーブル接続部１３２の長さＬａが約１５ｍｍ、フェルール接続部１３３の長さＬｂが約１２．５ｍｍ、高さＨｂが約２１．５ｍｍ、ＭＴフェルール２０が入る部分の幅Ｗｂが約３２ｍｍ、支持部本体１３１の中程部分の幅Ｗｃが約１２ｍｍとなるように形成されている。
【００２６】
次に、接続支持部１３０の接続について、図５及び図６に基づき説明する。図５は接続支持部１３０により接続された光ケーブル６０とＭＴフェルール２０の斜視図であり、図６（ａ）は上面図、図６（ｂ）は側面図、図６（ｃ）は底面図である。
【００２７】
最初に、接続支持部１３０と光ケーブル６０との接続について説明する。光ケーブル６０の被覆と抗張力部材６０ｂを剥いて光ファイバー６０ａを露出させた後、光ケーブル６０にスリーブ６１ａとスリーブ６１ｂを取り付け、剥かれた被覆と抗張力部材６０ｂをスリーブ６１ａ、６１ｂの周囲に折り曲げる。この後、折り曲げられた被覆と抗張力部材６０ｂの外側よりケーブル接続部１３２をかしめて光ケーブル６０をスリーブ６１ａ、６１ｂに固定する。これにより、光ケーブル６０の周囲を覆うようにスリーブ６１ａ、６１ｂが設置され、被覆と抗張力部材６０ｂはスリーブ６１ａ、６１ｂとケーブル接続部１３２との間に挟まれて固定される。本実施の形態において、ケーブル接続部１３２がかしめられるのはスリーブ６１ａ、６１ｂの外側であるため、スリーブ６１ａ、６１ｂの内側の光ケーブル６０にはケーブル接続部１３２をかしめる際に加えられる力が及ぶことはない。
【００２８】
次に、接続支持部１３０とＭＴフェルール２０との接続について説明する。図５及び図６に示すように、ＭＴフェルール２０は、光ファイバー６０ａが接続されている側に本体部２０ａよりも幅が広い幅広部２０ｂを有している。図３及び図４に示すように、フェルール接続部１３３はコの字状に延びた部分を略垂直に曲げることにより形成されており、両側の折り曲げられている部分の間の幅が本体部２０ａの幅と略同じとなるように形成されている。
【００２９】
接続支持部１３０とＭＴフェルール２０とを接続する際には、折り曲げられたフェルール接続部１３３の間に本体部２０ａを入れる。これにより、本体部２０ａは、フェルール接続部１３３により両側から挟まれた状態となる。このとき、フェルール接続部１３３の光ケーブル側の縁に位置する接触部１３３ａが、本体部２０ａと幅広部２０ｂの間の段部に接触する。そのため、接続支持部１３０が光ケーブル６０側に引っ張られても段部に接触部１３３ａが接触するため、フェルール接続部１３３の光ケーブル６０側への移動が規制され、ＭＴフェルール２０から外れることはない。一方、ケーブル接続部１３２はスリーブにかしめにより固定されているため、被覆が収縮しても接続支持部１３０によりスリーブ６１ａ、６１ｂの図示左側への移動を防止でき、ＭＴフェルール２０と光ケーブル６０とは、所定の距離以上に離れることはない。よって、光ファイバー６０ａが剥き出しとなっている部分も長くなることがない。そのため、光ファイバー６０ａが曲がったり折れたりすることはなく、光損失が生じることを防ぐことができる。尚、接続支持部１３０は金属により形成されておりバネ性を有しているため、フェルール接続部１３３に本体部２０ａが挟まれるような弾性を有するように形成してもよい。これにより、本体部２０ａはフェルール接続部１３３により固定することができる。
【００３０】
尚、本実施の形態では、接続支持部１３０が金属により形成されている場合について説明したが、金属以外にも、樹脂や、金属と樹脂との複合材料により形成してもよい。接続支持部１３０を金属と樹脂との複合材料により形成する場合には、金属部分を先に形成し、この後、インサート成型により樹脂と一体的に形成する。
【００３１】
（光モジュール）
本実施の形態による光モジュールは、図５及び図６に示される接続支持部１３０により接続された光ケーブル６０とＭＴフェルール２０が筐体内に入れられている。具体的には、図７に示すようにレンズ付きフェルール１０とＭＴフェルール２０とがクリップ３０により固定されて、図８に示すように下部筐体５１と上部筐体５２とを有する筐体内部に入れられている。尚、図８は本実施の形態による光モジュールの構成を示すものであるが、細部において他の図面とは異なる部分が存在している。
【００３２】
〔第２の実施の形態〕
次に、第２の実施形態について説明する。図９（ａ）、（ｂ）は本実施の形態による接続支持部２３０を異なる方向から見た斜視図である。
【００３３】
本実施の形態による接続支持部には、接続支持部を筐体にねじどめするためのねじ穴が設けられている。図９に示すように、本実施の形態による接続支持部２３０は金属板を折り曲げることにより形成されており、一方の側にはケーブル接続部１３２が、他方の側にはフェルール接続部２３３が設けられている。支持部本体２３１の中程には、筐体に取り付けるためのねじ穴２３４が２つ設けられており、接続支持部２３０を筐体に直接取り付けることができる。
【００３４】
また、フェルール接続部２３３の端には、ＭＴフェルール２０とフェルール接続部２３３との接続を確実にするため、ＭＴフェルール２０を取り付けた際にＭＴフェルール２０がはずれないような引っ掛け部２３５が設けられている。引っ掛け部２３５は、２つのフェルール接続部２３３の端を互いに内側に折り曲げることにより形成されている。
【００３５】
次に、本実施の形態による接続支持部２３０の接続について、図１０及び図１１に基づき説明する。図１０は光ケーブル６０とＭＴフェルール２０とが接続支持部２３０により接続されている状態の斜視図であり、図１１（ａ）は上面図、図１１（ｂ）は側面図、図１１（ｃ）は底面図である。尚、ケーブル接続部１３２と光ケーブル６０との接続は第１の実施の形態と同様である。
【００３６】
接続支持部２３０とＭＴフェルール２０とを接続する際には、折り曲げられているフェルール接続部２３３の間にＭＴフェルール２０の本体部２０ａを入れる。これにより、本体部２０ａはフェルール接続部２３３に挟まれた状態となる。また、フェルール接続部２３３の端には、ＭＴフェルール２０がはずれないような引っ掛け部２３５が設けられており、ＭＴフェルール２０の上面が引っ掛け部２３により押さえられ、ＭＴフェルール２０は接続支持部２３０により支持され固定される。
【００３７】
本実施の形態によっても、被覆が収縮しても、接続支持部２３０によりスリーブ６１ａ、６１ｂの移動が規制され、ＭＴフェルール２０とスリーブ６１ａ、６１ｂとの距離を一定の距離に保つことができる。よって、光ファイバー６０ａが剥き出しとなっている部分も所定の長さに保たれ、光ファイバー６０ａが曲がったり折れたりすることはなく、光損失が生じることを防ぐことができる。
【００３８】
尚、上記以外の内容については、第１の実施の形態と同様である。
【００３９】
〔第３の実施の形態〕
次に、第３の実施形態について説明する。本実施の形態における接続支持部は、電磁シールド機能を有する。
【００４０】
図１２（ａ）は本実施の形態による接続支持部３３０の上面図、図１２（ｂ）は正面図、図１２（ｃ）は背面図、図１２（ｄ）は左側面図、図１２（ｅ）は右側面図、図１２（ｆ）は底面図である。また、図１３（ａ）、（ｂ）は異なる方向から見た斜視図である。
【００４１】
図１２及び図１３に示すように、本実施の形態による接続支持部３３０は金属板を折り曲げることにより形成されており、一方の側にケーブル接続部１３２が、他方の側にフェルール接続部３３３が設けられている。
【００４２】
支持部本体３３１の中程には、金属板を折り曲げて形成された上側遮蔽部３３６及び下側遮蔽部３３７が形成されている。上側遮蔽部３３６及び下側遮蔽部３３７は、支持部本体３３１の面に対し略垂直に折り曲げることにより形成されており、上側遮蔽部３３６は支持部本体３３１の面に対し上面側に出っ張っており、下側遮蔽部３３７は支持部本体３３１の面に対し底面側に出っ張っている。
【００４３】
光モジュールでは、ＭＴフェルール２０側の奥に高周波の電磁波を発生する半導体素子や回路基板が設置されている。高周波の電磁波が光モジュールの外に漏れると、光モジュール外の電子機器に悪影響を与えるため、好ましくない。
【００４４】
特に、光モジュールの光ケーブル６０が接続されている部分では、光ケーブル６０やＭＴフェルール２０が存在しているため、電磁シールド機能を有する部材を設置することは容易ではない。このため、本実施の形態では、接続支持部３３０が電磁シールドの機能を有するように形成されている。尚、例えば、上側遮蔽部３３６は高さＨｄが約２０ｍｍ、下側遮蔽部３３７は高さＨｅが約１０ｍｍ、上側遮蔽部３３６及び下側遮蔽部３３７は幅Ｗｄが約５５ｍｍとなるように形成されている。
【００４５】
フェルール接続部３３３の端には、ＭＴフェルール２０とフェルール接続部３３３との接続を確実にするため、取り付けたＭＴフェルール２０がはずれないようにスナップフィット部３３５が設けられている。スナップフィット部３３５は、フェルール接続部３３３の端が相互に内側に凸となるように形成されており、フェルール接続部３３３にＭＴフェルール２０を取り付ける際には、ＭＴフェルール２０によりスナップフィット部３３５を両側に押してスナップフィット部３３５の間隔を広げて入れる。
【００４６】
次に、接続支持部３３０の接続について、図１４及び図１５に基づき説明する。図１４は接続支持部３３０により接続されている光ケーブル６０とＭＴフェルール２０の斜視図であり、図１５（ａ）は上面図、図１５（ｂ）は側面図、図１５（ｃ）は底面図である。尚、ケーブル接続部１３２と光ケーブル６０との接続は第１の実施の形態と同様である。
【００４７】
接続支持部３３０とＭＴフェルール２０とを接続する際には、フェルール接続部３３３の間にＭＴフェルール２０の本体部２０ａを入れる。これにより、本体部２０ａは、両側のフェルール接続部３３３に挟まれた状態となる。
【００４８】
フェルール接続部３３３の端に設けられたスナップフィット部３３５によりＭＴフェルール２０の上面が押さえられ、ＭＴフェルール２０は接続支持部３３０に固定される。また、フェルール接続部３３３の縁が幅広部２０ｂに当接するため、被覆が収縮しても接続支持部３３０が移動することが防止され、ＭＴフェルール２０とスリーブ６１との間隔を一定の距離に保つことができる。よって、光ファイバー６０ａが剥き出しとなっている部分の長さも、所定の長さに保たれるため、光ファイバー６０ａが曲がったり、折れたりすることはなく、光損失が生じることを防ぐことができる。
【００４９】
本実施の形態によれば、上側遮蔽部３３６、３３７によって下部筐体５１と上部筐体５２内で光ケーブル６０とＭＴフェルール２０との間がふさがれるため、遮蔽部により電磁波が遮蔽され、光モジュールの光ケーブル側に電磁波が漏れることを防止することが出来る。特に、遮蔽部は接続支持部３３０と一体的に構成されているため、電磁波を遮蔽するための別個の部材を用いる必要がない。
【００５０】
尚、上記以外の内容については、第１の実施の形態と同様である。
【００５１】
〔第４の実施の形態〕
次に、第４の実施形態について説明する。図１６（ａ）、（ｂ）は本実施の形態による接続支持部４３０を異なる方向から見た斜視図である。本実施の形態による接続支持部はその強度を高めたものである。
【００５２】
支持部本体４３１には、その長手方向に沿って凸状に折り曲げられた折り曲げ部４３８が形成されている。このように折り曲げ部４３８を形成することにより、折り曲げられた部分が撓みにくく、折れ曲がりにくくなるため、接続支持部の強度を高めることができ、接続支持部の変形に起因する光ファイバーの曲りなどを効果的に防止できる。
【００５３】
尚、接続支持部４３０の接続は、第１の実施の形態と同様である。図１７は、光ケーブル６０とＭＴフェルール２０とが接続支持部４３０により接続されている状態の斜視図である。
【００５４】
尚、上記以外の内容については、第１の実施の形態と同様である。
【００５５】
〔第５の実施の形態〕
次に、第５の実施形態について説明する。図１８（ａ）は本実施の形態による接続支持部の上面図、図１８（ｂ）は正面図、図１８（ｃ）は左側面図、図１８（ｄ）は右側面図である。本実施の形態における接続支持部は、ケーブル接続部１３２の内側に突起を設けたものである。
【００５６】
図１８に示すように、ケーブル接続部１３２の内側の一部を切り起こすことにより、ケーブル接続部１３２の内側に出っ張った突起５３１を形成したものである。このようにケーブル接続部１３２の内側に突起５３１を形成することにより、光ケーブル６０が引っ張られても、スリーブ６１ａ、６１ｂの周囲の抗張力部材６０ｂが突起５３１に引っ掛かり、ずれることを防ぐことができる。即ち、ケーブル接続部１３２をかしめることにより固定されたスリーブ６１ａ、６１ｂの周囲の抗張力部材６０ｂが、ケーブル接続部１３２の内側に出っ張った突起５３１に引っ掛かる。このため、光ケーブル６０が引っ張られても、スリーブ６１ａ、６１ｂの周囲の抗張力部材６０ｂがずれることはない。従って、本実施の形態では、スリーブ６１ａ、６１ｂとケーブル接続部１３２との固定をより確実なものとすることができる。
【００５７】
また、本実施の形態では、金属板を切り起こすのではなく、図１９に示すように、金属板の内側に突起５３２を設けたものであってもよい。突起５３２は、ケーブル接続部１３２の一部に力を加え変形させることにより形成することができる。図１９（ａ）は接続支持部の上面図、図１９（ｂ）は正面図、図１９（ｃ）は左側面図、図１９（ｄ）は右側面図である。
【００５８】
尚、本実施の形態は、第１から第４の実施の形態に適用可能である。
【００５９】
以上、本発明の実施に係る形態について説明したが、上記内容は、発明の内容を限定するものではない。
【符号の説明】
【００６０】
１０        レンズ付きフェルール
２０        ＭＴフェルール
２０ｂ      幅広部
３０        クリップ
６０        光ケーブル
６０ａ      光ファイバー
６０ｂ      抗張力部材
６１ａ、６１ｂ      スリーブ
１３０      接続支持部
１３１      支持部本体
１３２      ケーブル接続部
１３３      フェルール接続部
１３３ａ    接触部
【図１】
2018173455.tif 000003
【図２】
2018173455.tif 000004
【図３】
2018173455.tif 000005
【図４】
2018173455.tif 000006
【図５】
2018173455.tif 000007
【図６】
2018173455.tif 000008
【図７】
2018173455.tif 000009
【図８】
2018173455.tif 000010
【図９】
2018173455.tif 000011
【図１０】
2018173455.tif 000012
【図１１】
2018173455.tif 000013
【図１２】
2018173455.tif 000014
【図１３】
2018173455.tif 000015
【図１４】
2018173455.tif 000016
【図１５】
2018173455.tif 000017
【図１６】
2018173455.tif 000018
【図１７】
2018173455.tif 000019
【図１８】
2018173455.tif 000020
【図１９】
2018173455.tif 000021